(57)【要約】【課題】複屈折性を備える光学素子に対して光線が斜めに入射することで発生するカットオフ周波数の変動が少なく、光学系の収差の変動が少ない撮像装置を提供する。【解決手段】光学系と、撮像素子と、前記光学系と前記撮像素子との間に配置されたローパスフィルタとを有する撮像装置であって、前記ローパスフィルタは、正の屈折力を有する第１の光学素子と、負の屈折力を有する第２の光学素子を有し、前記第１の光学素子は複屈折性材料からなり、前記第１の光学素子の光学面のうち曲率が大きい方の光学面の曲率半径をＲ、前記撮像素子の対角半像高をＹとしたとき、  １５．０＜｜Ｒ／Ｙ｜＜４０．０  なる条件式を満足する。【選択図】図１
2015200784.tif 000002
【特許請求の範囲】
【請求項１】
光学系と、撮像素子と、前記光学系と前記撮像素子との間に配置されたローパスフィルタとを有する撮像装置であって、
前記ローパスフィルタは、正の屈折力を有する第１の光学素子と、負の屈折力を有する第２の光学素子を有し、前記第１の光学素子は複屈折性材料からなり、
前記第１の光学素子の光学面のうち曲率が大きい方の光学面の曲率半径をＲ、前記撮像素子の対角半像高をＹとしたとき、
１５．０＜｜Ｒ／Ｙ｜＜４０．０
なる条件式を満足することを特徴とする撮像装置。
【請求項２】
前記第１の光学素子の光学面のうち曲率が大きい方の光学面は、撮像素子側に凸形状の光学面であることを特徴とする請求項１に記載の撮像装置。
【請求項３】
前記第１の光学素子と前記第２の光学素子が接合されていることを特徴とする請求項１または２に記載の撮像装置。
【請求項４】
前記第１の光学素子の光学面のうち前記第２の光学素子とは反対側の光学面が平面であり、前記第２の光学素子の光学面のうち前記第１の光学素子とは反対側の光学面が平面であることを特徴とする請求項１乃至３のいずれか１項に記載の撮像装置。
【請求項５】
前記第１の光学素子のｄ線についての常光線屈折率をＮｐ、前記第２の光学素子の屈折率をＮｎとしたとき、
０．０００≦（Ｎｐ―Ｎｎ）＜０．１００
なる条件式を満足することを特徴とする請求項１乃至４のいずれか１項に記載の撮像装置。
【請求項６】
前記撮像素子は、該撮像素子に垂直入射する光線に対する受光率をＹｖとしたとき、該撮像素子に対する入射角度が３０°よりも大きい第１の角度において０．８Ｙｖの受光率が得られる入射角度特性を有することを特徴とする請求項１乃至５のいずれか１項に記載の撮像装置。
【請求項７】
前記第１の光学素子と前記第２の光学素子の各光学面のうち前記撮像素子に最も近い光学面と前記撮像素子との光軸上の距離をＬとしたとき、
０．００＜Ｌ／Ｙ＜０．１０
なる条件式を満足することを特徴とする請求項１乃至６のいずれか１項に記載の撮像装置。
【請求項８】
前記第１の光学素子の光学面のうち前記第２の光学素子とは反対側の光学面の曲率半径をＲａとしたとき、
０．００≦｜Ｙ／Ｒａ｜＜０．１０
なる条件式を満足することを特徴とする請求項１乃至７のいずれか１項に記載の撮像装置。
【請求項９】
前記光学系が単焦点レンズであるときは、前記光学系の射出瞳位置と前記撮像素子との光軸上の距離をｔｋとし、前記光学系がズームレンズであるときは広角端における前記光学系の射出瞳位置と前記撮像素子との光軸上の距離をｔｋとしたとき、
０．５０＜｜ｔｋ｜／Ｙ＜２．５０
なる条件式を満足することを特徴とする請求項１乃至８のいずれか１項に記載の撮像装置。
【請求項１０】
前記光学系が単焦点レンズであるときは、前記光学系の焦点距離をｆとし、前記光学系がズームレンズであるときは、最も像側に配置された負の屈折力を有するレンズ群の焦点距離をｆｎ、望遠端における光学系の焦点距離をｆとしたとき、
０．１０＜｜ｆｎ/ｆ｜＜１２．００
なる条件式を満足することを特徴とする請求項１乃至９のいずれか１項に記載の撮像装置。
【請求項１１】
前記光学系のバックフォーカスが、前記撮像素子の有効対角長よりも短いことを特徴とする請求項１乃至１０のいずれか１項に記載の撮像装置。
【発明の詳細な説明】
【技術分野】
【０００１】
本発明は、画像劣化が少ないローパスフィルタを有する撮像装置に関する。
【背景技術】
【０００２】
近年、デジタルカメラやビデオカメラに搭載される撮像素子の大判化が進む一方、撮像装置の小型化が求められている。
【０００３】
光学系の撮像素子側に負レンズ群を配置し、変倍群の屈折力を強くすることにより、ズーミングに伴う変倍群の移動量を低減することができ、光学系を小型化できることが知られている。このとき、軸外領域（画面周辺部）においてはローパスフィルタ（ＬＰＦ）に対して光束が斜めに入射することから、所期の像分離特性が得られにくい。
【先行技術文献】
【特許文献】
【０００４】
【特許文献１】特開２００１−１１７１３９号公報
【特許文献２】特開２００８−０７６６９１号公報
【発明の概要】
【発明が解決しようとする課題】
【０００５】
特許文献１、２は、領域毎に厚みを異ならせたローパスフィルタを開示しているが、ローパスフィルタの厚みの違いに起因して、光学系の収差が変動してしまう。
【０００６】
本発明は、複屈折性を備える光学素子に対して光線が斜めに入射することで発生するカットオフ周波数の変動が少なく、光学系の収差の変動が少ない撮像装置を提供することを目的としている。
【課題を解決するための手段】
【０００７】
上記目的を達成するため、本発明に係る撮像装置は、光学系と、撮像素子と、前記光学系と前記撮像素子との間に配置されたローパスフィルタとを有する撮像装置であって、前記ローパスフィルタは、正の屈折力を有する第１の光学素子と、負の屈折力を有する第２の光学素子を有し、前記第１の光学素子は複屈折性材料からなり、前記第１の光学素子の光学面のうち曲率が大きい方の光学面の曲率半径をＲ、前記撮像素子の対角半像高をＹとしたとき、
１５．０＜｜Ｒ／Ｙ｜＜４０．０
なる条件式を満足することを特徴とする。
【発明の効果】
【０００８】
本発明によれば、複屈折性を備える光学素子に対して光線が斜めに入射することで発生するカットオフ周波数の変動が少なく、光学系の収差の変動が少ない撮像装置を提供することができる。
【図面の簡単な説明】
【０００９】
【図１】（Ａ）ローパスフィルタに対する入射角度の説明図、（Ｂ）は本発明の第１の実施形態の光学系の断面図である。
【図２】光学系のＭＴＦ周波数特性を説明する図である。
【図３】撮像素子を説明する図である。
【図４】カラーフィルターを説明する図である。
【図５】本発明の第２の実施形態の光学系の断面図である。
【図６】本発明の第３の実施形態の光学系の断面図である。
【図７】本発明の第４の実施形態の光学系の断面図である。
【図８】（Ａ）は第１の実施形態の広角端における収差図、（Ｂ）は望遠端における収差図である。
【図９】（Ａ）は第２の実施形態の広角端における収差図、（Ｂ）は望遠端における収差図である。
【図１０】第３の実施形態における収差図である。
【図１１】（Ａ）は第４の実施形態の広角端における収差図、（Ｂ）は望遠端における収差図である。
【発明を実施するための形態】
【００１０】
以下に、本発明の好ましい実施の形態を、添付の図面に基づいて詳細に説明する。
【００１１】
《第１の実施形態》
（撮像装置）
図１（Ａ）（Ｂ）を参照して、本発明の第１の実施形態に係る撮像装置１００について説明する。光学系（本例の場合ズームレンズ）を通過した光束は、ローパスフィルタ１０２（以下、ＬＰＦとも言う）を通して、広い角度（半画角が４０°）を取り込むことができる撮像素子１０に入射する構成となっている。なお、ＩＰは像面であり、ＣＣＤ等の撮像素子１０が配置される。以下、撮像素子、光学系、ローパスフィルタの順に、詳細に説明する。
【００１２】
（撮像素子）
図３に示すように、撮像素子１０は、半導体回路基板１１と、半導体回路基板１１の上に二次元アレイ状に形成された複数の下部電極（画素電極）１２と、複数の画素電極１２上に連続し形成された有機材料からなる光電変換層１３を有する。さらに、光電変換層上に形成された、複数の画素電極に対向する対向電極であり、単一層として設けられた上部電極（共通電極）１４とを備えている。
【００１３】
また、上部電極１４の上には透明な絶縁層１５が積層されており、この絶縁層１５の上に、２色以上（本実施形態においては３色）のカラーフィルタ１６ｒ、１６ｇ、１６ｂを有する。さらに、各色のカラーフィルタ１６ｒ、１６ｇ、１６ｂを隔てて分離する透明な分離壁１７とからなるカラーフィルタ層ＣＦが設けられ、さらにカラーフィルタ層ＣＦ上には低反射層１８が設けられている。以下、各構成要素についての詳細を説明する。
【００１４】
１）半導体回路基板
半導体回路基板１１は、ｎ型シリコン基板１（以下、単に基板１とする。）の表面にｐ型のウェル領域２を備え、ウェル領域２にはｎ型の不純物拡散領域３が複数形成されている。不純物拡散領域３は、半導体回路基板１１上に形成される下部電極１２と対応して、二次元アレイ状に形成されている。
【００１５】
また、ウェル領域２の表面において、不純物拡散領域３の近傍には、不純物拡散領域３に蓄積した電荷に応じた信号を出力する信号読出し部４が設けられている。信号読出し部４は、不純物拡散領域３に蓄積された電荷を電圧信号に変換して出力する回路であって、例えば公知のＣＣＤやＣＭＯＳ回路によって構成することができる。
【００１６】
さらに、基板１のウェル領域２が形成された表面上に絶縁層５が積層されている。絶縁層５の上には、上方から見たとき略矩形状の画素電極１２が、複数、所定の間隔で配列形成されている。各画素電極１２は、絶縁層５を貫通するように形成された導電性材料からなる接続部６を介して、基板の不純物拡散領域３に電気的に接続されている。
【００１７】
撮像素子１０は、光電変換層１３に光が入射されると、光電変換層１３で発生した電荷（正孔及び電子）のうち、例えば正孔を上部電極１４に移動させ、電子を下部電極１２に移動させる。そのために、下部電極１２及び上部電極１４間には、不図示の電圧供給部によってバイアス電圧が印加される。この場合、上部電極１４を正孔捕集電極とし、下部電極１２を電子捕集電極としている。
【００１８】
２）電極
上部電極１４及び下部電極１２は、光電変換層１３との密着性や、電子親和力や、イオン化ポテンシャル、安定性等を考慮して選ばれる。上部電極１４及び下部電極１２の作製には、その材料によって種々の方法が用いられるが、例えばＩＴＯの場合、電子ビーム法、スパッタリング法、抵抗加熱蒸着法、化学反応法（ゾルーゲル法など）、酸化インジウムスズの分散物の塗布などの方法で膜形成される。
【００１９】
上部電極１４は、光電変換層１３に光を入射させる必要があるため、透明な導電性材料で構成されている。ここで、透明電極材料は、例えば波長が約４２０ｎｍ〜約６６０ｎｍの範囲の可視光域で約８０％以上の透過率であるものが好ましい。上部電極１４の具体的な材料としては、例えば、酸化スズ、酸化亜鉛、酸化インジウム、酸化インジウムスズ（ＩＴＯ）等の導電性金属酸化物、あるいは金、銀、クロム、ニッケル等の金属がある。
【００２０】
さらに、これらの金属と導電性金属酸化物との混合物または積層物、ヨウ化銅、硫化銅などの無機導電性物質、ポリアニリン、ポリチオフェン、ポリピロールなどの有機導電性材料、シリコン化合物およびこれらとＩＴＯとの積層物などが挙げられる。好ましくは、導電性の金属酸化物であり、特に、生産性、高導電性、透明性等の点からＩＴＯ、ＺｎＯ、ＩｎＯ、が好ましい。
【００２１】
下部電極１２は、導電性材料であれば良く、透明である必要はない。しかし、下部電極１２の下方の基板側にも光を透過させることが必要である場合には、下部電極１２も透明電極材料で構成することが必要となる。このとき、下部電極１２の透明電極材料としては、上部電極１４と同様に、ＩＴＯを用いることが好ましい。
【００２２】
３）光電変換層
有機材料による光電変換層１３は、厚みが０．１μｍから１．０μｍの範囲となるように成膜されている。光電変換層１３の層厚は、薄いほどイメージセンサの混色には有効となるが、光吸収とのトレードオフがあり、実質的には０．５μｍ程度が望ましい。光電変換層１３を構成する材料としては、例えば電子写真の感光材料に用いられているような、様々な有機半導体材料を用いることができる。
【００２３】
その中でも、高い光電変換性能を有すること、分光する際の色分離に優れていること、長時間の光照射に対する耐久性が高いこと、真空蒸着を行いやすいこと、等の観点から、キナクリドン骨格を含む材料やフタロシアニン骨格を含む有機材料が特に好ましい。このような光電変換層を構成する有機材料は、ｐ型有機半導体及びｎ型有機半導体の少なくとも一方を含んでいることが好ましい。
【００２４】
光電変換層１３を有機材料で構成すれば、シリコン基板などに形成したフォトダイオードを光電変換部として用いる構成に比べて、可視光に対する光吸収係数が大きい。このため、光電変換層１３に入射した光が吸収され易くなる。この性質によれば、光電変換層１３に斜めに入射した光も隣接する画素部へ漏れにくくなり、画素部で光電変換されることになり、透過効率の向上とクロストークの抑制を図ることができる。
【００２５】
４）絶縁層
絶縁層５は、Ａｌ2Ｏ3、ＳｉＯ2、ＳｉＮ、またはこれらの混合膜などから構成できる。
【００２６】
５）カラーフィルタ層
図３に示すように、カラーフィルタ層ＣＦは、それぞれ異なる波長の光を透過する複数のカラーフィルタを有する。ここでは、カラーフィルタＣＦは赤／青／緑色の顔料、もしくは染料の入った有機材料によるカラーフィルタ１６ｒ、１６ｇ、１６ｂが画素毎に配置されている。各カラーフィルタ間には、カラーフィルタ材料よりも屈折率が小さな透明材料で構成される分離壁１７が設けられている。
【００２７】
カラーフィルタは、それぞれ異なる波長の光を透過するものであり、カラーフィルタ１６ｒは、入射光のうち赤色の波長の光を透過する構成を有するＲ光カラーフィルタとして機能する。同様に、カラーフィルタ１６ｇは、入射光のうち緑色の波長の光を透過する構成を有するＧ光カラーフィルタとして、またカラーフィルタ１６ｂは、入射光のうち青色の波長の光を透過する構成を有するＢ光カラーフィルタとして機能する。複数のカラーフィルタ１６ｒ、１６ｇ、１６ｂは、各画素部にいずれか１つが含まれ、画素部の配列に応じてベイヤー配列などのカラーパターンで配列されている。
【００２８】
図４では、一例として、４つの画素部におけるカラーフィルタ１６ｒ、１６ｇ、１６ｂのベイヤー配列を示している。複数のカラーフィルタの配列は、この構成例で説明するものに限定されず、任意に変更可能である。
【００２９】
カラーフィルタの屈折率は、赤青緑の各色で異なり、また入射光の波長によっても異なるものである。カラーフィルタのいずれも、入射光波長（少なくともその可視光域の波長４００ｎｍ〜７００ｎｍ）に対し、１．５〜１．８の範囲内の屈折率を有する。また、それぞれのカラーフィルタの厚みは、０．３μｍ〜１．０μｍの範囲内としている。
【００３０】
カラーフィルタを互いに分離するための分離壁１７は、図４に示すように略格子状に形成され、各カラーフィルタそれぞれを個別に囲うように形成されている。各カラーフィルタの間隔に相当する分離壁１７の幅ｔは、０．０５μｍ〜０．２μｍの範囲内にあり、その屈折率は１．２２〜１．３４の範囲内にある。分離壁１７の屈折率は低い程イメージセンサとしての特性は向上するが、あまり低い材料を用いると膜としての脆弱性が問題となることから、実効的には１．２８〜１．３０程度の材料を用いることが望ましい。
【００３１】
６）低反射層
低反射層１８は、空気中からカラーフィルタＣＦに光がダイレクトに入射する場合の反射損失を低減するために備えられる。カラーフィルタＣＦに用いる材料の屈折率（例えば、３色のフィルタの屈折率の平均値）をｎcとした場合、低反射層１８としては√ｎcとなる屈折率を有する材料を選択し、層厚は可視光のほぼ中心波長となる５５０ｎｍの１／４膜厚となるようにすればよい。
【００３２】
以上、本実施形態に係る撮像素子について述べたが、本実施形態では以下のような効果を備える。即ち、従来のようなフォトダイオードが形成された基板上に電荷転送路が形成され、その上に平坦化膜などを挟んでカラーフィルタ層が設けられる表面照射型の撮像素子に比べ、カラーフィルＣＦと光電変換層１３との距離ｄ（図３）を短くできる。具体的に、カラーフィルタＣＦの下側面から光電変換層１３の上側面までの距離ｄ（図３）を３μｍ以下とすることが可能である。なお、撮像素子は、一例として基板の上方に光電変換層が積層された積層型撮像素子を示したが、本発明はこの限りではない。
【００３３】
（光学系）
次に、光学系１０１（図１（Ａ））として本実施形態に係るズームレンズについて、説明する。本実施形態に係る光学系では、バックフォーカスを撮像素子の有効対角長よりも短く設定することによって、パワー配置をより収差補正がしやすい対称配置とすることができ、より小型化設計が可能となる。ここで、バックフォーカスとは、光学系の最も撮像素子に近い側の光学面と撮像素子との間隔である。なお、簡易評価のため、波長についてはｄ線評価とする。
【００３４】
また、本実施形態含め、各実施形態のズームレンズについて、広角端、望遠端とはズーミング用のレンズ群が機構上、光軸上を移動可能な範囲の両端に位置したときのズーム位置をいう。
【００３５】
本実施形態の光学系は、物体側から順に負、正、負の３群ズームレンズである。そして、広角端から望遠端への変倍に際し、第１〜３レンズ群はすべて変倍時に移動する構成となっている。第１レンズ群の構成については、物体側から順に凹レンズ２枚、および凸レンズの合計３枚構成として、最も物体側に配置された凹メニスカスレンズには非球面を配し、主に像面湾曲などを抑制することができるものである。
【００３６】
また、第２レンズ群の構成については、凸レンズ２枚、凹レンズ、および凸レンズの合計４枚で構成されており、本実施形態では最も物体側と像側の凸レンズに非球面が採用されており、主に球面、コマ収差を低減することができる。また、第３レンズ群の構成については、凸レンズ、および物体側に強い凹面を向けた凹レンズの合計２枚構成としている。そして、本実施形態では、最も像側に配置された凹レンズについては非球面を採用しており、これによって周辺像高における像面湾曲などを良好に補正することができるものである。
【００３７】
本実施形態のように、最も像側に配置された第３レンズ群の負の屈折力を強くすることで、物体側に配置された第２レンズ群の屈折力を強くすることが可能で、ズーミング時の移動量を小さく設計することができる。
【００３８】
（ローパスフィルタ）
上記の光学系を用いる場合、上述したような屈折力配置に起因して、特に広角端の最外画角について、ローパスフィルタおよび撮像素子１０に入射する光線角度が大きくなる。ここで、ローパスフィルタは、Ｙ方向（図１（Ａ））に光束を分離しているものであるが、以下の懸念がある。即ち、斜めに入射する光束に起因して、軸上（光軸上）で設定している所望の分離幅に対して軸外での光束分離幅が大きくなる（ボケ量が大きくなる）懸念がある。
【００３９】
ここで、一般にローパスフィルタは、複屈折板として、結晶軸方位を４５°傾けた水晶板を用いる。この水晶板によって、Ｙ方向（図１（Ａ）の上下方向）に常光線および異常光線が分離するものである。複屈折板に一般的な水晶を使用した場合の、光学系のＭＴＦ周波数特性（Ｙ断面光束）を図２に示している。
【００４０】
光学系１０１が理想レンズであっても、光軸上から周辺画角に向かうにつれてカットオフ周波数が１００本/ｍｍから約８０本/ｍｍまで落ちることが分かる。これは、複屈折板に対して光束が光軸上と周辺像高で異なる角度で入射することに起因するものである。特に、複屈折板に対して斜めに入射する周辺像高では、上述したようなカットオフ周波数が低周波側にシフトしてしまう。
【００４１】
そこで、本実施形態では、以下のような構成により、カットオフ周波数の低周波数側へのシフトを抑制する。即ち、ローパスフィルタ１０２として、第１の光学素子１０３と、第２の光学素子１０４を接合したものを用いる。ここで、第１の光学素子１０３は、光路中、光学系１０１と撮像素子１０との間に設けられ、第２の光学素子１０４は、光路中、第１の光学素子１０３と撮像素子１０との間に設けられる。
【００４２】
そして、第１の光学素子１０３は、正の屈折力で複屈折性を備え、光路中、撮像素子に近い側の面が撮像素子に向かう凸面である光学素子とし、また、第２の光学素子１０４は、負の屈折力を備え、複屈折性を備えない光学素子とする。ここで、複屈折性を備える第１の光学素子１０３の材料（複屈折性材料）は、ｎｅ−ｎｏ≧０．０００５を満足する材料であり、複屈折性を備えない第２の光学素子１０４の材料は、ｎｅ−ｎｏ≧０．０００５を満足しない材料である。
【００４３】
本実施形態では、第１の光学素子１０３における最も強い曲率を備える光学面は、第２の光学素子の側の光学面（接合面）である。そして、第１の光学素子１０３における最も強い曲率を備える光学面は、撮像素子１０に向かう凸面（撮像素子側に凸形状の光学面）となる。
【００４４】
そして、正の屈折力を有する第１の光学素子１０３の光学面のうち曲率が大きい方の光学面の曲率半径をＲ、撮像素子の対角半像高をＹとするとき、以下の条件式を満足するようにしている。
【００４５】
１５．０＜｜Ｒ／Ｙ｜＜４０．０・・・（１）
条件式（１）は、複屈折性を有する第１の光学素子としての凸レンズの曲率が大きい方の光学面の曲率半径の、Ｒと撮像素子の対角半像高Ｙとの比を規定したものである。下限を超えると、曲率半径が小さくなりすぎて複屈折板について必要コバ部を確保するための板厚みが大きくなり、カットオフ周波数が小さく（低く）なりすぎて好ましくない。逆に上限を超えると、曲率半径が大きすぎて、ローパスフィルタに対して斜めに入射する光束によるカットオフ周波数のシフトを抑制する効果が小さくなりすぎて好ましくない。
【００４６】
より好ましくは、以下の条件式（１ａ）に示すような範囲とすることで、より小型でかつ画面周辺部までモアレおよび解像度低減を抑制した撮像装置を提供することができる。
【００４７】
１７．０＜｜Ｒ／Ｙ｜＜３５．０・・・（１ａ）
本実施形態では、R＝−４００ｍｍ、｜Ｒ／Ｙ｜＝２９．３とすることで、光軸上から周辺までのカットオフ周波数をズーム全域で１２０本/ｍｍ程度以上にすることができる。
【００４８】
そして、本実施形態における撮像素子は、撮像素子に垂直入射する光線に対する受光率をＹｖとしたとき、該撮像素子に対する入射角度が３０°よりも大きい第１の角度において０．８Ｙｖの受光率が得られる入射角度特性を有する。
【００４９】
これは、撮像素子に対して入射する光束の感度角度特性を規定したものであって、０．８Ｙｖの受光率が得られる入射角度が３０°よりも小さいと小型化のために撮像素子に対して斜めに入射する所望の光束を有効に取り込むことができなくなる。
【００５０】
また、本実施形態では、ローパスフィルタ１０２の撮像素子に最も近い光学面と撮像素子（像面）との光軸上の距離をＬとしたとき、以下の条件式を満足するようにしている。
【００５１】
０．００＜Ｌ／Ｙ＜０．１０・・・（２）
条件式（２）は、ローパスフィルタ１０２の配置、位置を規定したものであって、上限を超えると、ローパスフィルタと撮像素子との間の距離が大きすぎて、ローパスフィルタを通過する軸外光束高さが低くなって所望の効果が得られなくなる。
【００５２】
より好ましくは、以下の条件式（２ａ）に示すような範囲とすることで、より小型でかつ画面周辺部までモアレおよび解像度低減を抑制した撮像装置を提供することができる。
【００５３】
０．００＜Ｌ／Ｙ＜０．０６・・・（２ａ）
また、本実施形態では、ローパスフィルタ１０２の第１の光学素子１０３の光学面のうち第２の光学素子１０４とは反対側の光学面の曲率半径をＲａとしたとき、以下の条件式を満足する。
【００５４】
０．００≦｜Ｙ／Ｒａ｜＜０．１０・・・（３）
条件式（３）は、第１の光学素子１０３の光学面のうち第２の光学素子１０４とは反対側の光学面の曲率半径Ｒａを規定するものである。上限を超えると、交換レンズのようなシステム、つまり複数種類レンズを付けたときの収差変動が無視できなくなる。
【００５５】
より好ましくは、以下の条件式（３ａ）に示すような範囲とすることで、より小型でかつ画面周辺部までモアレおよび解像度低減を抑制した撮像装置を提供することができる。
【００５６】
０．００≦｜Ｙ／Ｒａ｜＜０．０３・・・（３ａ）
また、本実施形態のように光学系がズームレンズであるときは広角端における光学系の射出瞳位置と撮像素子との光軸上の距離をｔｋとしたとき、以下の条件式（４）を満足するようにしている。なお、光学系が単焦点レンズであるときは、光学系の射出瞳位置と撮像素子との光軸上の距離をｔｋとする。
【００５７】
０．５０＜｜ｔｋ｜／Ｙ＜２．５０・・・（４）
下限を超えると光学系の瞳位置が像面に近くなり、光束がローパスフィルタ１０２に斜めに入射することで、性能劣化するため好ましくない。逆に上限を超えると、撮像装置の小型化ができなくなるため好ましくない。
【００５８】
より好ましくは、以下の条件式（４ａ）に示すような範囲とすることで、より小型でかつ画面周辺部までモアレおよび解像度低減を抑制した撮像装置を提供することができる。
【００５９】
０．７０＜｜ｔｋ｜/Ｙ＜２．００・・・（４ａ）
また、最も像側に配置された負の屈折力を有するレンズ群の焦点距離をｆｎ、光学系がズームレンズであるときは、望遠端における光学系の焦点距離をｆ、光学系が単焦点レンズであるときは、光学系の焦点距離をｆとするとき、以下の条件式（５）を満足する。
【００６０】
０．１０＜｜ｆｎ/ｆ｜＜１２．００・・・（５）
条件式（５）は、光学系の最も像側に配置された負の屈折力を有するレンズ群の焦点距離ｆｎと、光学系の焦点距離ｆとの比を規定したものである。下限を超えると、最も像側に配置されたレンズ群の負の屈折力が強くなりすぎて、画面周辺部の性能劣化が無視できなくなる。逆に、上限を超えると、撮像装置が大型化するため好ましくない。
【００６１】
より好ましくは、以下の条件式（５ａ）に示すような範囲とすることで、より小型でかつ画面周辺部までモアレおよび解像度低減を抑制した撮像装置を提供することができる。
【００６２】
０．２０＜｜ｆｎ/ｆ｜＜０．４０・・・（５ａ）
ローパスフィルタ１０２に関して、ｄ線について、第１の光学素子１０３の常光線屈折率をＮｐ、第２の光学素子１０４の屈折率をＮｎとしたとき、以下の条件式（６）を満足するようにしている。
【００６３】
０．０００≦（Ｎｐ―Ｎｎ）＜０．１００・・・（６）
条件式（６）は、複屈折性を有する第１の光学素子１０３の常光線屈折率と、複屈折性を有しない第２の光学素子１０４の屈折率との差を規定したものであって、上限を超えるとローパスフィルタ１０２によって発生する収差の影響が大きくなるため好ましくない。
【００６４】
より好ましくは、以下の条件式（６ａ）に示すような範囲とすることで、より小型でかつ画面周辺部までモアレおよび解像度低減を抑制した撮像装置を提供することができる。
【００６５】
０．０００≦（Ｎｐ―Ｎｎ）＜０．０６０・・・（６ａ）
（作用）
このように、本実施形態では、第１の光学素子１０３に複屈折性を持たせて、モアレなどによる画質劣化を抑制する。そして、像面側に凸面を向けた曲率半径を持たせることで、軸外光束が通過する周辺領域について軸上（光軸上）光束の通過領域に比べて複屈折板厚を薄く設定することができ、カットオフ周波数のシフトを抑制する。本実施形態の第１の光学素子は、厚み０．６４ｍｍの水晶で構成されている。
【００６６】
本実施形態では、第１の光学素子が正の屈折力を備えており、正の屈折力による収差変動の影響を緩和するために、第２の光学素子が負の屈折力を備える構成としている。第１、第２の光学素子による合成屈折力を小さくすることにより、様々な光学系に（例えば交換レンズ）対しても好ましい撮像装置とすることができる。本実施形態の第２の光学素子は、１．０４ｍｍのＳ−ＢＳＬ７（オハラ商標）の光学ガラスで構成されている。
【００６７】
ここで、第１、第２の光学素子が接合されたローパスフィルタ１０２は、平板に近いことが好ましい。即ち、第１の光学素子の光学面のうち第２の光学素子とは反対側の光学面が平面であり、第２の光学素子の光学面のうち第１の光学素子とは反対側の光学面が平面であることが好ましい。また、ローパスフィルタ１０２を配置する位置としては、なるべく撮像素子１０に近い位置が望ましい。何故なら、もし離れていると、光線通過位置について光軸上光束域との差が少なくなってしまい、カットオフ周波数のシフトを抑制する効果が低減してしまうからである。
【００６８】
（本実施形態の効果）
本実施形態によれば、ローパスフィルタに対して斜めに入射する軸外光束についてカットオフ周波数の低下を抑制することができる。
【００６９】
《第２の実施形態》
以下、図５を参照して、本発明の第２の実施形態による撮像装置について説明する。第１の実施形態と同じ部材は同じ符号とし、詳細説明は割愛する。本実施形態でも、光学系を通過した光束は、ローパスフィルタを通して撮像素子に入射する構成となっており、光学系の詳細については以下に説明する。
【００７０】
本実施形態の光学系は、物体側から順に正、負、正、負の４群ズームレンズである。広角端から望遠端への変倍に際し、第１〜４レンズ群はすべて変倍時に移動する構成となっている。第１レンズ群の構成については、物体側から順に凹レンズ、凸レンズを接合した２枚構成としている。また、第２レンズ群の構成については、物体側から順に凹レンズ２枚、および凸レンズの合計３枚構成として、最も物体側に配置された凹メニスカスレンズには両面非球面を配し、主に像面湾曲などを抑制することができるものである。
【００７１】
第３レンズ群の構成については、凸レンズ２枚、凹レンズ、および凸レンズの合計４枚で構成されており、本実施形態における実施例では全ての凸レンズに非球面が採用されており、主に球面、コマ収差を低減することができる。また、第４レンズ群の構成については、凸レンズ、および物体側に強い凹面を向けた凹レンズの合計２枚構成としている。本実施形態における実施例では、最も像側に配置された凹レンズについては両面非球面を採用しており、これによって周辺像高における像面湾曲などを良好に補正することができるものである。
【００７２】
本実施形態における実施例のように、最も像側に配置された第４レンズ群の負の屈折力を強くすることで、物体側に配置された第２レンズ群の屈折力を強くすることが可能で、ズーミング時の移動量を小さく設計することができる。
【００７３】
本実施形態におけるローパスフィルタは、第１の光学素子と第２の光学素子が接合されて構成されており、第１の光学素子は厚み０．６５ｍｍの水晶により構成され、第２の光学素子は厚み１．０５ｍｍのＳ−ＦＰＭ３（オハラ商標）により構成される。  本実施形態では、ＬＰＦ接合界面Ｒ＝−４００ｍｍと、撮像素子対角半像高Ｙとの比の関係について、２９．３（条件式（１））とする。これにより、軸上から周辺までのローパスフィルタによるカットオフ周波数をズーム全域で１２０本／ｍｍ程度以上にすることができるものである。
【００７４】
《第３の実施形態》
以下、図６を参照して、本発明の第３の実施形態による撮像装置について説明する。
光学系を通過した光束は、ローパスフィルタを通して撮像素子に入射する構成となっており、光学系の詳細については以下に説明する。本実施形態の光学系は、対称系のパワー配置をした単焦点レンズであり、光軸上光束に対して、画面周辺光束については前述のようにローパスフィルタや撮像素子に対しては斜めに入射するような構成となっている。
【００７５】
具体的な構成については、物体側から順に凹レンズ、および凸レンズの前群、凸凹接合、絞り、凹凸接合レンズからなる中間群、凸レンズおよび凹レンズからなる後群から構成されている。前群の凹および凸レンズにそれぞれ非球面を採用して像面湾曲などを補正し、中群のすべての凸レンズに非球面を採用して、球面収差やコマ収差などを補正し、後群の最終凹レンズに非球面を採用して像面湾曲などを補正している。
【００７６】
本実施形態における実施例では、ローパスフィルタとして、第２の光学素子である厚み１．０５ｍｍのＳ−ＦＰＭ３（オハラ商標）および、第１の光学素子である厚み０．６５ｍｍの水晶を接合して構成している。凸レンズ複屈折板によりローパス効果を持たせ、モアレなどによる画質劣化を抑制している。
【００７７】
本実施形態では、物体側から像側へ順に、第２の光学素子、第１の光学素子を配置している。このとき、接合面について物体側に凸面を向けた曲率半径を持たせることで、軸外光束が通過する周辺領域について光軸上にくらべて複屈折板の厚さを薄く設定することができ、カットオフ周波数のシフトを抑制することができる。
【００７８】
本実施形態でも、第１の実施形態と同様に、第１の光学素子における最も強い曲率を備える光学面は、第２の光学素子の側の光学面（接合面）である。そして、第１の光学素子における最も強い曲率を備える光学面は、第１の実施形態のような撮像素子に向かう凸面ではなく、逆に撮像素子に向かう凹面となる。
【００７９】
また、本実施形態における実施例では、空気側の光学面である空気界面の曲率半径についてもＲａ＝１０００ｍｍ程度の曲率半径を有している。光学系を交換するようなシステムを想定すると、なるべくレンズ個々における収差変動懸念を考慮して平面に近いことが望ましい。
【００８０】
本実施形態における実施例では、ＬＰＦ接合界面Ｒ＝４２５ｍｍと、撮像素子対角半像高Ｙとの比の関係について、１９．６（条件式（１））とする。これにより、軸上から周辺までのローパスフィルタによるカットオフ周波数を、ズーム全域で１００本／ｍｍ程度以上にすることができるものである。
【００８１】
《第４の実施形態》
以下、図７を参照して、本発明の第４の実施形態による撮像装置について説明する。
光学系を通過した光束は、ローパスフィルタを通して撮像素子に入射する構成となっており、光学系の詳細については以下に説明する。本実施形態の光学系は、物体側から順に負、正、負の３群ズームレンズである。広角端から望遠端への変倍に際し、第１〜３レンズ群はすべて変倍時に移動する構成となっている。
【００８２】
第１レンズ群の構成については、物体側から順に凹レンズ２枚、および凸レンズの合計３枚構成として、最も物体側に配置された凹メニスカスレンズには非球面を配し、主に像面湾曲などを抑制することができるものである。また、第２レンズ群の構成については、凸凹接合レンズ、および凸レンズ２枚の合計４枚で構成されており、本例では最も物体側と像側の凸レンズに非球面が採用されており、主に球面収差、コマ収差を低減することができる。第３レンズ群の構成については、凸レンズ、および凹レンズの合計２枚構成としている。
【００８３】
本実施形態における実施例では、最も像側に配置された凹レンズについては非球面を採用しており、これによって周辺像高における像面湾曲などを良好に補正することができるものである。そして、最も像側に配置された第３レンズ群の負の屈折力を強くすることで、物体側に配置された第２レンズ群の屈折力を強くすることができ、ズーミング時の移動量を小さく設計することができる。
【００８４】
本実施形態における実施例では、ローパスフィルタとしては、第１の光学素子として厚み０．６５ｍｍの水晶と、第２の光学素子として１．０ｍｍのＳ−ＦＰＭ２（オハラ商標）を接合して構成する。第１の光学素子である凸レンズ複屈折板によりローパス効果を持たせ、モアレなどによる画質劣化を抑制することができるものである。
【００８５】
また、本実施形態では、ＬＰＦ接合界面Ｒ＝−３５０ｍｍと、撮像素子対角半像高Ｙとの比の関係について、２５．６（条件式（１））とする。これにより、光軸上から周辺までのローパスフィルタによるカットオフ周波数をズーム全域で１２０本／ｍｍ程度以上にすることができるものである。
【００８６】
（数値実施例）
次に、各実施形態におけるデータを以下に示す。ｉは物体面からの面の順序を示し、ｒｉはレンズ面の曲率半径、ｄｉは第ｉ面と第ｉ＋１面との間のレンズ肉厚および空気間隔、ｎｉ，ｖｉはそれぞれｄ線に対する屈折率およびアッベ数を表す。また、非球面に記載されている、ｋ，Ａ，Ｂ，Ｃ，Ｄ，Ｅなどは非球面係数である。非球面形状は光軸からの高さｈの位置での光軸方向の変位を、面頂点を基準にしてｘとするとき以下の式で定義される。
【００８７】
ｘ＝（ｈ２／Ｒ）／［１＋｛１−（１＋ｋ）（ｈ／Ｒ）２｝１／２］
＋Ａｈ４＋Ｂｈ６＋Ｃｈ８＋Ｄｈ１０＋Ｅｈ１２
ただし、ここでＲは曲率半径である。
【００８８】
（数値実施例１）
単位 mm
面データ
面番号       r        d      nd         vd       有効径
1*        26.413    0.99   1.85400    40.4       18.52
2         15.427    4.13                         16.57
3        -25.646    0.88   1.88300    40.8       16.24
4         58.928    0.10                         16.05
5         29.195    2.03   1.92286    18.9       16.12
6        289.412  (可変)                         15.90
7*        26.582    2.16   1.69350    53.2       11.90
8        -47.810    0.10                         12.00
9         19.278    2.94   1.48749    70.2       11.95
10        -23.118    0.70   1.91082    35.3       11.65
11         20.441    1.07                         11.50
12         16.325    4.38   1.48749    70.2       12.11
13*       -11.465    1.17                         12.13
14(絞り)    ∞     (可変)                         10.38
15        -36.738    2.54   1.74077    27.8       11.37
16        -16.272    1.63                         11.79
17*        -7.684    0.82   1.69350    53.2       11.74
18*       -65.160  (可変)                         13.51
19          ∞       0.64   1.54431    70.0       28.00
20       -400.000    1.04   1.51633    64.1       28.00
21          ∞       0.66                         28.00
像面        ∞   
【００８９】
非球面データ
第1面
K =-1.18620e+000  A 4=-6.36796e-006  A 6=-4.84459e-008  A 8=-4.46951e-010  A10= 2.03047e-012  
第7面
K =-1.30831e+001  A 4=-3.51337e-006  A 6=-1.02725e-006  A 8=-5.32564e-009  
第13面
K =-3.59349e-001  A 4= 1.34844e-005  A 6=-2.29851e-007  A 8= 5.45046e-009  
第17面
K = 1.13414e-001  A 4= 1.07843e-004  A 6= 3.63209e-006  A 8=-4.67839e-008  A10= 2.56149e-009  
第18面
K = 0.00000e+000  A 4=-4.10344e-005  A 6=-5.67666e-008  A 8= 2.03975e-008  A10=-1.65396e-010  
各種データ
ズーム比      3.36 
広角     中間     望遠
焦点距離      18.30    47.13    61.50  
Fナンバー      2.68     5.45     6.83  
画角          33.89    16.16    12.52  
像高          12.29    13.66    13.66  
レンズ全長     56.1     63.5     70.9  
BF             0.66     0.66     0.66  
d 6           12.58     2.02     0.44  
d14            7.54     7.46     7.45  
d18            7.96    26.05    35.03  
入射瞳位置    15.70    13.26    12.78  
射出瞳位置   -16.30   -34.42   -43.45  
前側主点位置  14.25    -2.93   -11.47  
後側主点位置 -17.64   -46.47   -60.84  
ズームレンズ群データ
群  始面    焦点距離  レンズ構成長  前側主点位置  後側主点位置
L1    1     -22.64         8.13         2.78         -3.43
L2    7      15.08        12.52         4.72         -5.76
L3   15     -19.43         4.99         3.20         -0.31
LPF  19     14296.39       1.68         0.41         -0.69
単レンズデータ
レンズ  始面  焦点距離
1       1    -45.31
2       3    -20.14
3       5     35.05
4       7     24.93
5       9     22.07
6      10    -11.82
7      12     14.57
8      15     37.45
9      17    -12.64
10      19    734.88
11      20   -774.70
【００９０】
（数値実施例２）
単位 mm
面データ
面番号       r        d      nd         vd       有効径
1         83.844    1.52   1.95906    17.5       41.47
2         68.987    5.01   1.59282    68.6       40.66
3       -454.641  (可変)                         40.12
4*      -415.585    1.10   1.85400    40.4       27.84
5*        26.775    5.32                         24.20
6        -39.193    0.76   1.77250    49.6       23.97
7         77.745    0.10                         24.01
8         41.717    3.16   1.95906    17.5       24.28
9        513.701  (可変)                         24.03
10          ∞     (可変)                         18.06
11          ∞     (可変)                         19.46
12*        62.629    1.54   1.85400    40.4       18.03
13        539.324    0.17                         17.96
14*        17.531    5.71   1.55332    71.7       17.99
15        -25.309    0.17                         17.74
16         35.451    0.68   2.00069    25.5       15.76
17         15.626    8.22                         14.78
18        219.796    2.54   1.49710    81.6       13.76
19*       -14.905    1.69                         13.65
20(絞り)    ∞     (可変)                         11.33
21       -717.855    3.61   1.72825    28.5       13.19
22        -14.319    0.52                         13.50
23*       -11.224    0.68   1.85400    40.4       13.39
24*        39.272  (可変)                         14.34
25          ∞       0.65   1.54431    70.0       28.00
26       -400.000    1.05   1.53775    74.7       28.00
27          ∞       0.90                         28.00
像面        ∞   
【００９１】
非球面データ
第4面
K = 0.00000e+000  A 4=-1.33581e-005  A 6= 5.94910e-008  A 8=-8.66080e-011  A10= 2.57718e-014  
第5面
K = 9.88643e-001  A 4=-1.25595e-005  A 6= 3.62300e-008  A 8= 1.56077e-011  A10= 7.16901e-013  
第12面
K =-2.23343e+001  A 4=-6.16318e-005  A 6=-8.35200e-008  A 8=-4.60666e-010  
第14面
K =-1.54872e-001  A 4= 2.69538e-005  A 6=-1.61055e-007  A 8=-7.46453e-010  
第19面
K =-9.21547e-001  A 4= 2.00554e-005  A 6=-2.14223e-007  A 8= 4.96902e-009  A10=-4.85606e-011  
第23面
K =-8.92198e-001  A 4= 4.01767e-005  A 6=-2.29731e-006  A 8= 5.41593e-008  A10=-4.81021e-010  
第24面
K = 3.46548e+000  A 4= 3.46372e-006  A 6=-1.70971e-006  A 8= 4.07900e-008  A10=-3.10015e-010  
各種データ
ズーム比      4.99 
広角     中間     望遠
焦点距離      17.53    49.55    87.44  
Fナンバー      2.06     4.20     6.00  
画角          33.52    15.41     8.88  
像高          11.61    13.66    13.66  
レンズ全長     81.0    100.3    122.0  
BF             0.90     0.90     0.90  
d 3            0.69    21.37    36.09  
d 9           21.88     5.70     0.45  
d10           -5.07    -2.54     0.00  
d11            5.07     2.54     0.00  
d20            6.63     5.37     5.06  
d24            6.71    22.77    35.34  
入射瞳位置    28.41    63.23    99.67  
射出瞳位置   -14.33   -29.78   -42.21  
前側主点位置  25.76    32.74     9.75  
後側主点位置 -16.63   -48.65   -86.55  
ズームレンズ群データ
群  始面    焦点距離  レンズ構成長  前側主点位置  後側主点位置
L1    1     134.34         6.53         0.13         -3.80
L2    4     -22.85        10.44         1.49         -6.40
SSP1 10       ∞           0.00         0.00         -0.00
SSP2 11       ∞           0.00         0.00         -0.00
L3   12      19.98        20.72         9.76        -12.66
L4   21     -21.86         4.81         3.33          0.33
LPF  25     60984.91       1.70         0.42         -0.68
単レンズデータ
レンズ  始面  焦点距離
1       1   -427.36
2       2    101.40
3       4    -29.42
4       6    -33.64
5       8     47.19
6      12     82.85
7      14     19.65
8      16    -28.41
9      18     28.18
10      21     20.02
11      23    -10.16
12      25    734.88
13      26   -743.84
【００９２】
（数値実施例３）
単位 mm
面データ
面番号       r        d      nd         vd       有効径
1*        41.185    1.25   1.62230    53.2       31.12
2         12.034    6.18                         22.39
3*        36.234    2.78   1.83400    37.2       22.26
4         65.324   10.72                         21.08
5*        14.621    4.57   1.56883    56.4       12.57
6        -14.052    0.95   1.72047    34.7       11.01
7        -25.508    1.95                         10.36
8(絞り)    ∞       1.95                          7.42
9        -17.664    0.95   1.73800    32.3        8.46
10         16.292    4.57   1.83481    42.7        8.54
11*       -24.463   10.34                         10.38
12        -39.931    2.75   1.69680    55.5       21.80
13        -25.676    3.94                         23.21
14        -13.749    1.25   1.75520    27.5       23.39
15*       -41.195    3.00                         29.13
16       1000.000    1.05   1.53775    74.7       44.00
17        425.000    0.65   1.54431    70.0       44.00
18       1000.000    0.30                         44.00
像面        ∞   
【００９３】
非球面データ
第1面
K = 2.93750e+000  A 4= 5.02474e-006  A 6=-2.72892e-008  A 8= 1.15072e-010  A10=-2.08454e-013  
第3面
K =-3.27015e-001  A 4=-6.63083e-006  A 6= 2.04029e-008  A 8=-2.09015e-010  A10= 2.49091e-013  
第5面
K =-1.56147e+000  A 4= 7.73944e-005  A 6= 1.82575e-007  A 8= 1.52651e-010  
第11面
K =-1.04975e+001  A 4=-8.80698e-006  A 6= 1.11904e-006  A 8=-4.72936e-009  
第15面
K =-3.07779e+001  A 4=-6.95493e-005  A 6= 6.52660e-008  A 8=-1.98710e-010  A10= 5.62295e-013  
各種データ
ズーム比      1.00 
焦点距離      20.91  
Fナンバー      3.60  
画角          45.98  
像高          21.64  
レンズ全長    59.2  
BF             0.30  
入射瞳位置    15.76  
射出瞳位置   -18.84  
前側主点位置  13.83  
後側主点位置 -20.61  
ズームレンズ群データ
群  始面    焦点距離  レンズ構成長  前側主点位置  後側主点位置
1    1      20.91        58.87        13.83        -20.61
単レンズデータ
レンズ  始面  焦点距離
1       1    -27.78
2       3     93.50
3       5     13.37
4       6    -44.99
5       9    -11.35
6      10     12.34
7      12     95.63
8      14    -27.87
9      16   -1375.37
10      17    1357.38
【００９４】
（数値実施例４）
単位 mm
面データ
面番号       r        d      nd         vd       有効径
1         53.848    1.83   1.58313    59.4       32.68
2*        11.439    7.45                         22.59
3         37.484    1.83   1.69680    55.5       21.21
4         13.943    4.34                         18.50
5         16.132    2.52   2.00069    25.5       18.23
6         22.403  (可変)                         17.25
7*        13.752    2.08   1.85135    40.1        8.94
8         53.997    0.98   1.80809    22.8        8.05
9         13.853    1.20                          7.31
10         29.812    1.53   1.55332    71.7        6.84
11       -189.853    1.28                          6.61
12(絞り)    ∞       1.56                          6.36
13         32.670    1.81   1.55332    71.7        7.07
14*       -35.183  (可変)                          7.63
15         64.323    2.48   1.49700    81.5       11.64
16        -17.952    0.80                         11.96
17*       -54.165    1.28   1.85135    40.1       12.04
18         33.089  (可変)                         12.55
19          ∞       0.65   1.54431    70.0       28.00
20       -350.000    1.00   1.59522    67.7       28.00
21          ∞       0.05                         28.00
像面        ∞   
【００９５】
非球面データ
第2面
K =-2.71305e-001  A 4=-8.01168e-007  A 6=-2.27782e-008  A 8= 5.10509e-010  A10=-2.24487e-012  
第7面
K = 0.00000e+000  A 4=-3.13026e-005  A 6= 1.90170e-007  A 8=-1.14077e-008  A10= 8.57994e-011  
第14面
K = 0.00000e+000  A 4= 2.06383e-005  A 6= 1.87654e-007  
第17面
K = 3.15338e+001  A 4=-7.40197e-005  A 6= 1.01986e-008  A 8=-1.54104e-009  A10= 2.73948e-011  
各種データ
ズーム比      1.90 
広角     中間     望遠
焦点距離      11.30    16.42    21.49  
Fナンバー      4.12     4.92     5.71  
画角          45.78    39.76    32.44  
像高          11.61    13.66    13.66  
レンズ全長     70.7     65.6     65.1  
BF             0.05     0.05     0.05
d 6           16.28     6.48     1.33  
d14            7.48     6.45     6.03  
d18           12.27    18.00    23.10  
入射瞳位置    15.25    13.70    12.58  
射出瞳位置   -24.79   -29.65   -34.37  
前側主点位置  21.41    21.04    20.66  
後側主点位置 -11.27   -16.37   -21.42  
ズームレンズ群データ
群  始面    焦点距離  レンズ構成長  前側主点位置  後側主点位置
L1    1     -19.71        17.97         2.65        -12.25
L2    7      19.01        10.43         4.03         -5.03
L3   15    -230.40         4.56        16.62         12.60
LPF   19    -6874.80         1.65         0.42         -0.63
単レンズデータ
レンズ  始面  焦点距離
1       1    -25.31
2       3    -32.91
3       5     47.94
4       7     21.17
5       8    -23.31
6      10     46.68
7      13     30.91
8      15     28.53
9      17    -23.97
10      19    643.02
11      20   -588.02
以下の表１に各数値実施形態の条件式の値を示す。
【００９６】
【表１】
2015200784.tif 000003
【００９７】
各実施形態の収差図を図８乃至１１に示す。図８（Ａ）は第１の実施形態の広角端における収差図、図８（Ｂ）は望遠端における収差図である。図９（Ａ）は第２の実施形態の広角端における収差図、図９（Ｂ）は望遠端における収差図である。また、図１０は第３の実施形態における収差図である。そして、図１１（Ａ）は第４の実施形態の広角端における収差図、図１１（Ｂ）は望遠端における収差図である。
【００９８】
（変形例）
以上、本発明の好ましい実施形態について説明したが、本発明はこれらの実施形態に限定されず、その要旨の範囲内で種々の変形及び変更が可能である。
【００９９】
（変形例１）
上述した実施形態では、ＬＰＦ分離をＹ方向２点分離方式としたが、必ずしもこの限りではなく、４点分離としても良い。
【０１００】
（変形例２）
光学系として、上述したズームレンズは、変倍時のＦ値変動を低減するために開口絞り制御を行なっても良い。
【０１０１】
（変形例３）
また、受光面上に形成された光学像を電気信号に変換する撮像素子を備えた撮像装置とローパスフィルタとを一体化した場合などには、歪曲収差量によっては電気的な補正を加えても良い。
【０１０２】
（変形例４）
正の屈折力で複屈折性を備える第１の光学素子、負の屈折力で複屈折性を備えない第２の光学素子は、夫々凸レンズ、凹レンズとして透過型のローパスフィルタの他、反射型のローパスフィルタであっても良い。また、レンズは回折格子を用いたものであっても良い。
【０１０３】
（変形例５）
撮像素子と、撮像素子の前方に設けられる上述したローパスフィルタと、が一体化された撮像装置とすることもできる。
【符号の説明】
【０１０４】
１０・・撮像素子、１０１・・光学系、１０２・・ローパスフィルタ、１０３・・第１の光学素子、１０４・・第２の光学素子
【図１】
2015200784.tif 000004
【図２】
2015200784.tif 000005
【図３】
2015200784.tif 000006
【図４】
2015200784.tif 000007
【図５】
2015200784.tif 000008
【図６】
2015200784.tif 000009
【図７】
2015200784.tif 000010
【図８】
2015200784.tif 000011
【図９】
2015200784.tif 000012
【図１０】
2015200784.tif 000013
【図１１】
2015200784.tif 000014